【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
ポータブル電子デバイスであって、
タッチ感知ディスプレイと、
タッチセンサ面と、
１つ以上のプロセッサと、
メモリと、
１つ以上のプログラムとを備え、
前記１つ以上のプログラムは、前記メモリに記憶され、前記１つ以上のプロセッサによって実行されるように構成されていて、
前記１つ以上のプログラムは、
前記タッチ感知ディスプレイの第１位置に第１アイコンを表示するための命令と、
所定時間期間よりも長い、前記タッチ感知ディスプレイ上のタッチ入力であって、前記第１アイコンを選択させる前記タッチ入力を検出するための命令と、
所定時間期間よりも長い、前記タッチ感知ディスプレイ上のタッチ入力の検出に応答して、前記第１アイコンの視覚的見掛けを変更するための命令と、
前記タッチ感知ディスプレイ上の前記第１位置から第２位置への前記タッチ入力の移動を検出するステップであって、検出された前記タッチ入力の移動は、前記タッチ感知ディスプレイ上の前記第１位置から前記第２位置へ前記第１アイコンを移動させる、検出するための命令と、
前記タッチ感知ディスプレイ上の前記第１位置から前記第２位置への前記タッチ入力の移動の検出に応答して、前記第２位置の視覚的見掛けを変更するための命令と、
前記タッチ感知ディスプレイ上の前記第２位置で前記タッチ入力の離昇を検出するための命令と、
前記タッチ感知ディスプレイ上の前記第２位置で前記タッチ入力の前記離昇の検出に応答して、前記タッチ感知ディスプレイ上の前記第２位置で前記第１アイコンを表示することを継続するための命令と
を含んでいる
ことを特徴とするポータブル電子デバイス。
【請求項２】
前記第２位置での前記第１アイコンの表示に応答して、ユーザへのフィードバックを提供するための命令を更に含んでいる
ことを特徴とする請求項１に記載のポータブル電子デバイス。
【請求項３】
前記フィードバックは、音声フィードバック及び触覚フィードバックの少なくとも１つを含んでいる
ことを特徴とする請求項２に記載のポータブル電子デバイス。
【請求項４】
前記第２位置の視覚的見掛けを変更することは、マーカーを表示することを含んでいる
ことを特徴とする請求項１に記載のポータブル電子デバイス。
【請求項５】
前記第２位置の視覚的見掛けを変更することは、前記第２位置の境界を少なくとも部分的に示す線を表示することを含んでいる
ことを特徴とする請求項１に記載のポータブル電子デバイス。
【請求項６】
前記第２位置は、第２アイコンによって占有されている
ことを特徴とする請求項１に記載のポータブル電子デバイス。
【請求項７】
前記タッチ感知ディスプレイ上に第２アイコンを表示するための命令と、
前記タッチ感知ディスプレイ上の前記第１位置から前記第２アイコンの付近内の位置へ前記第１アイコンを移動させる前記タッチ入力の移動を検出するための命令と、
前記タッチ感知ディスプレイ上の前記第１位置から前記第２アイコンの付近内の位置へ前記第１アイコンを移動させる前記タッチ入力の移動の検出に応答して、前記第２アイコンの視覚的見掛けを変更するための命令と
を更に含んでいる
ことを特徴とする請求項１に記載のポータブル電子デバイス。
【請求項８】
前記第２アイコンの視覚的見掛けを変更することは、
前記第２アイコンのグロー効果を適用すること、
前記第１アイコンと前記第２アイコンの位置を交換すること
の少なくとも１つを含んでいる
ことを特徴とする請求項７に記載のポータブル電子デバイス。
【請求項９】
前記タッチ感知ディスプレイは、指ジェスチャーに応答するマルチタッチ感知ディスプレイである
ことを特徴とする請求項１に記載のポータブル電子デバイス。
【請求項１０】
前記第１アイコンの視覚的見掛けを変更することは、前記第１アイコンを異なるサイズへとスケーリングすることを含んでいる
ことを特徴とする請求項１に記載のポータブル電子デバイス。
【請求項１１】
前記第１位置から前記第２位置へ前記第１アイコンを移動させる前記タッチ入力の移動を検出することは、
検出した前記タッチ入力の移動が、前記タッチ感知ディスプレイ上の前記第２位置を少なくとも部分的に取り巻いている境界線にタッチしているあるいは交差しているかを判定することを含んでいる
ことを特徴とする請求項１に記載のポータブル電子デバイス。
【請求項１２】
前記第１アイコンを選択させる、前記タッチ感知ディスプレイ上の前記タッチ入力は、前記所定時間期間より長い間続く、前記第１アイコン上での前記タッチ感知ディスプレイとの固定タッチ接触である
ことを特徴とする請求項１に記載のポータブル電子デバイス。
【請求項１３】
１つ以上のプログラムを記憶しているコンピュータ可読記憶媒体であって、タッチ感知ディスプレイを備えるポータブル電子デバイスによって実行される場合に、
前記ポータブル電子デバイスに、
前記タッチ感知ディスプレイの第１位置に第１アイコンを表示すること、
所定時間期間よりも長い、前記タッチ感知ディスプレイ上のタッチ入力であって、前記第１アイコンを選択させる前記タッチ入力を検出すること、
所定時間期間よりも長い、前記タッチ感知ディスプレイ上のタッチ入力の検出に応答して、前記第１アイコンの視覚的見掛けを変更すること、
前記タッチ感知ディスプレイ上の前記第１位置から第２位置への前記タッチ入力の移動を検出するステップであって、検出された前記タッチ入力の移動は、前記タッチ感知ディスプレイ上の前記第１位置から前記第２位置へ前記第１アイコンを移動させる、検出すること、
前記タッチ感知ディスプレイ上の前記第１位置から前記第２位置への前記タッチ入力の移動の検出に応答して、前記第２位置の視覚的見掛けを変更すること、
前記タッチ感知ディスプレイ上の前記第２位置で前記タッチ入力の離昇を検出すること、
前記タッチ感知ディスプレイ上の前記第２位置で前記タッチ入力の前記離昇の検出に応答して、前記タッチ感知ディスプレイ上の前記第２位置で前記第１アイコンを表示することを継続すること
の処理を実行させる
ことを特徴とするコンピュータ可読記憶媒体。
【請求項１４】
前記処理は、更に、
前記第２位置での前記第１アイコンの表示に応答して、ユーザへのフィードバックを提供することを更に含んでいる
ことを特徴とする請求項１３に記載のコンピュータ可読記憶媒体。
【請求項１５】
前記フィードバックは、音声フィードバック及び触覚フィードバックの少なくとも１つを含んでいる
ことを特徴とする請求項１４に記載のコンピュータ可読記憶媒体。
【請求項１６】
前記第２位置の視覚的見掛けを変更することは、マーカーを表示することを含んでいる
ことを特徴とする請求項１３に記載のコンピュータ可読記憶媒体。
【請求項１７】
前記第２位置の視覚的見掛けを変更することは、前記第２位置の境界を少なくとも部分的に示す線を表示することを含んでいる
ことを特徴とする請求項１３に記載のコンピュータ可読記憶媒体。
【請求項１８】
前記第２位置は、第２アイコンによって占有されている
ことを特徴とする請求項１３に記載のコンピュータ可読記憶媒体。
【請求項１９】
前記処理は、更に、
前記タッチ感知ディスプレイ上に第２アイコンを表示すること、
前記タッチ感知ディスプレイ上の前記第１位置から前記第２アイコンの付近内の位置へ前記第１アイコンを移動させる前記タッチ入力の移動を検出すること、
前記タッチ感知ディスプレイ上の前記第１位置から前記第２アイコンの付近内の位置へ前記第１アイコンを移動させる前記タッチ入力の移動の検出に応答して、前記第２アイコンの視覚的見掛けを変更すること
を含んでいる
ことを特徴とする請求項１３に記載のコンピュータ可読記憶媒体。
【請求項２０】
前記第２アイコンの視覚的見掛けを変更することは、
前記第２アイコンのグロー効果を適用すること、
前記第１アイコンと前記第２アイコンの位置を交換すること
の少なくとも１つを含んでいる
ことを特徴とする請求項１９に記載のコンピュータ可読記憶媒体。
【請求項２１】
前記タッチ感知ディスプレイは、指ジェスチャーに応答するマルチタッチ感知ディスプレイである
ことを特徴とする請求項１３に記載のコンピュータ可読記憶媒体。
【請求項２２】
前記第１アイコンの視覚的見掛けを変更することは、前記第１アイコンを異なるサイズへとスケーリングすることを含んでいる
ことを特徴とする請求項１３に記載のコンピュータ可読記憶媒体。
【請求項２３】
前記第１位置から前記第２位置へ前記第１アイコンを移動させる前記タッチ入力の移動を検出することは、
検出した前記タッチ入力の移動が、前記タッチ感知ディスプレイ上の前記第２位置を少なくとも部分的に取り巻いている境界線にタッチしているあるいは交差しているかを判定することを含んでいる
ことを特徴とする請求項１３に記載のコンピュータ可読記憶媒体。
【請求項２４】
前記第１アイコンを選択させる、前記タッチ感知ディスプレイ上の前記タッチ入力は、前記所定時間期間より長い間続く、前記第１アイコン上での前記タッチ感知ディスプレイとの固定タッチ接触である
ことを特徴とする請求項１３に記載のコンピュータ可読記憶媒体。
【請求項２５】
方法であって、
タッチ感知ディスプレイを備えるポータブル電子デバイスにおいて、
前記タッチ感知ディスプレイの第１位置に第１アイコンを表示するステップと、
所定時間期間よりも長い、前記タッチ感知ディスプレイ上のタッチ入力であって、前記第１アイコンを選択させる前記タッチ入力を検出するステップと、
所定時間期間よりも長い、前記タッチ感知ディスプレイ上のタッチ入力の検出に応答して、前記第１アイコンの視覚的見掛けを変更するステップと、
前記タッチ感知ディスプレイ上の前記第１位置から第２位置への前記タッチ入力の移動を検出するステップであって、検出された前記タッチ入力の移動は、前記タッチ感知ディスプレイ上の前記第１位置から前記第２位置へ前記第１アイコンを移動させる、検出するステップと、
前記タッチ感知ディスプレイ上の前記第１位置から前記第２位置への前記タッチ入力の移動の検出に応答して、前記第２位置の視覚的見掛けを変更するステップと、
前記タッチ感知ディスプレイ上の前記第２位置で前記タッチ入力の離昇を検出するステップと、
前記タッチ感知ディスプレイ上の前記第２位置で前記タッチ入力の前記離昇の検出に応答して、前記タッチ感知ディスプレイ上の前記第２位置で前記第１アイコンを表示することを継続するステップと
を備えることを特徴とする方法。
【請求項２６】
前記第２位置は、第２アイコンによって占有されている
ことを特徴とする請求項２５に記載の方法。
【請求項２７】
前記第２位置の視覚的見掛けを変更するステップは、マーカーを表示することを含んでいる
ことを特徴とする請求項２５に記載の方法。
【請求項２８】
前記第１アイコンを選択させる、前記タッチ感知ディスプレイ上の前記タッチ入力は、前記所定時間期間より長い間続く、前記第１アイコン上での前記タッチ感知ディスプレイとの固定タッチ接触である
ことを特徴とする請求項２５に記載の方法。
【請求項２９】
前記第２位置の視覚的見掛けを変更するステップは、前記第２位置の境界を少なくとも部分的に示す線を表示することを含んでいる
ことを特徴とする請求項２５に記載の方法。
【請求項３０】
前記タッチ感知ディスプレイは、指ジェスチャーに応答するマルチタッチ感知ディスプレイである
ことを特徴とする請求項２５に記載の方法。
【請求項３１】
前記第１アイコンの視覚的見掛けを変更することは、前記第１アイコンを異なるサイズへとスケーリングすることを含んでいる
ことを特徴とする請求項２５に記載の方法。
【請求項３２】
前記第１位置から前記第２位置へ前記第１アイコンを移動させる前記タッチ入力の移動を検出することは、
検出した前記タッチ入力の移動が、前記タッチ感知ディスプレイ上の前記第２位置を少なくとも部分的に取り巻いている境界線にタッチしているあるいは交差しているかを判定することを含んでいる
ことを特徴とする請求項２５に記載の方法。
【請求項３３】
前記第１アイコンを選択させる、前記タッチ感知ディスプレイ上の前記タッチ入力は、前記所定時間期間より長い間続く、前記第１アイコン上での前記タッチ感知ディスプレイとの固定タッチ接触である
ことを特徴とする請求項２５に記載の方法。